(57)【要約】  【課題】  例えば医薬品に添付される添付文書の管理に適用し、添付文書の管理を支援する情報管理システム及び管理装置を提供する。  【解決手段】  管理装置１、薬品を識別する識別情報に対応付けて、薬品に関する基本情報を記録する第１データベース１３ａと、識別情報に対応付けて、薬品に添付される添付文書に記載する複数項目の添付文書情報を記録している第２データベース１３ｂと、識別情報又は基本情報に対応付けて、添付文書に関する追加情報を記録している第３データベース１３ｃとを用い、該第３データベース１３ｃに記録されている追加情報を抽出し、抽出した追加情報を一覧として出力する。【選択図】      図２
2006276899.tif 000002
【特許請求の範囲】
【請求項１】
薬品に関する情報の管理を支援する情報管理システムにおいて、
薬品を識別する識別情報に対応付けて、薬品に関する複数項目の基本情報を記録している第１記録手段と、
識別情報に対応付けて、薬品に添付される添付文書に記載する複数項目の添付文書情報を記録している第２記録手段と、
識別情報又は基本情報に対応付けて、添付文書に関する追加情報を記録している第３記録手段と、
該第３記録手段に記録されている追加情報を抽出する手段と、
抽出した追加情報に係る情報を一覧として出力する出力手段と、
一覧として出力した追加情報に係る情報の指示を受け付ける手段と、
受け付けた指示に対応する追加情報を出力する手段と
を備えることを特徴とする情報管理システム。
【請求項２】
前記第１記録手段は、薬品の所定の性質の有無を示す性質有無情報を基本情報として記録する様に構成してあり、
薬品を検索する検索キーを受け付ける手段と、
受け付けた検索キーに基づいて、第１記録手段から薬品に関する性質有無情報を含む基本情報を抽出する手段と、
抽出した性質有無情報に基づき、各性質について、有無のいずれかを示した性質提示情報を生成する手段と、
抽出した基本情報及び生成した性質提示情報を、一覧として出力する手段と
を備えることを特徴とする請求項１に記載の情報管理システム。
【請求項３】
一覧として出力された基本情報の指示を受け付ける手段と、
受け付けた基本情報に係る薬品に対応する添付文書情報を第２記録手段から抽出する手段と、
抽出した添付文書情報を出力する添付文書出力手段と
を備えることを特徴とする請求項２に記載の情報管理システム。
【請求項４】
前記第１記録手段は、薬品の薬効を示す薬効情報を階層的に基本情報として記録する様に構成してあり、
基本情報の指示を受け付けた場合に、受け付けた基本情報に係る薬効情報を第１記録手段から抽出する手段を更に備え、
前記添付文書出力手段は、抽出した薬効情報を添付文書情報と共に階層的に出力する様に構成してあることを特徴とする請求項３に記載の情報管理システム。
【請求項５】
識別情報に対応付けて、採用薬品か否かを示す管理状態情報を記録している第４記録手段と、
出力された薬効情報の指示を受け付ける手段と、
第４記録手段を参照して、指示を受け付けた薬効情報と同様の薬効情報を含み、かつ採用薬品である薬品の識別情報を判定する手段と、
判定した薬品の識別情報を検索キーとして、基本情報を第１記録手段から抽出する手段と、
抽出した基本情報を、一覧として出力する手段と
を備えることを特徴とする請求項４に記載の情報管理システム。
【請求項６】
添付文書情報の全ての項目及び該項目に対応する内容の出力の要否を指定する入力欄を出力する手段と、
各項目について出力の要否の指定の入力を受け付ける手段と
を更に備え、
前記添付文書出力手段は、出力要の指定を受け付けた項目に関する添付文書情報を出力する様に構成してある
ことを特徴とする請求項３乃至請求項５のいずれかに記載の情報管理システム。
【請求項７】
複数の薬品に係る相互作用を示す相互作用情報を記録している第５記録手段と、
一覧として出力された基本情報の中から、複数の薬品に係る基本情報の指示を受け付ける手段と、
指示を受け付けた薬品を示す情報を蓄積する手段と、
蓄積した薬品を示す情報及び相互作用の判定を要求する画像を出力する手段と、
相互作用の判定を要求する画像の指示を受け付けた場合に、
第５記録手段を参照して、指示を受け付けた複数の薬品に係る相互作用情報が記録されているか否かを判定する手段と、
相互作用情報が記録されていないと判定した場合に、相互作用がないことを示す情報を出力する手段と、
相互作用情報が記録されていると判定した場合に、記録されている相互作用情報を第５記録手段から抽出する手段と、
抽出した相互作用情報を出力する手段と
を備えることを特徴とする請求項１乃至請求項６のいずれかに記載の情報管理システム。
【請求項８】
薬品集及び／又は該薬品集に関する情報を示す薬品集情報を記録している第６記録手段と、
該第６記録手段に記録している薬品集情報を出力する手段と
を備えることを特徴とする請求項１乃至請求項７のいずれかに記載の情報管理システム。
【請求項９】
前記第１記録手段、第２記録手段及び第３記録手段を備える管理装置と、
前記出力手段を備える端末装置と
を備え、
前記管理装置及び端末装置を通信網にて接続している
ことを特徴とする請求項１乃至請求項８のいずれかに記載の情報管理システム。
【請求項１０】
薬品に関する情報の管理を支援する情報管理システムにおいて、
薬品に添付される添付文書を構成する添付文書情報を、薬品を識別する識別情報に対応付けて記録する記録手段と、
薬品の指定及び指定された薬品に対する追加情報を受け付ける手段と、
指定された薬品の識別情報に対応付けて、受け付けた追加情報を記録する記録手段と、
薬品の指定及び指定された薬品の添付文書情報を出力させる指示を受け付ける手段と、
指定された薬品に対応する添付文書情報及び指定された薬品に対応する追加情報を前記記録手段から抽出する手段と、
抽出した追加情報を、抽出した添付文書情報に付加する手段と、
追加情報を付加した添付文書情報を出力する手段と
を備えることを特徴とする情報管理システム。
【請求項１１】
前記記録手段に追加情報が記録されている場合に、薬品に対応付けられた追加情報が記録されていることを示す記録状況情報を出力する手段を更に備え、
該記録状況情報は、新たな追加情報が、前記記録手段に記録される都度、更新される様に構成してある
ことを特徴とする請求項１０に記載の情報管理システム。
【請求項１２】
薬品に関する情報の管理を支援する管理装置において、
薬品を識別する識別情報に対応付けて、薬品に関する複数項目の基本情報を記録している第１記録手段と、
識別情報に対応付けて、薬品に添付される添付文書に記載する複数項目の添付文書情報を記録している第２記録手段と、
識別情報又は基本情報に対応付けて、添付文書に関する追加情報を記録している第３記録手段と、
該第３記録手段に記録されている追加情報を抽出する手段と、
抽出した追加情報に係る情報を一覧として出力する手段と、
一覧として出力した追加情報に係る情報の指示を受け付ける手段と、
受け付けた指示に対応する追加情報を出力する手段と
を備えることを特徴とする管理装置。
【発明の詳細な説明】
【技術分野】
【０００１】
管理対象物に関する情報の管理を支援する情報管理システム、及び該情報管理システムにて用いられる管理装置に関し、特に薬品に関する情報の管理を支援する情報管理システム及び管理装置に関する。
【背景技術】
【０００２】
医薬品には、添付文書と呼ばれる文書を添付することが薬事法令にて定められている。添付文書には、例えば、その医薬品の組成、性状、効果・効能、用法・用量、使用上の注意（一般的な注意事項のほか、特に、禁忌疾病、副作用等の情報が含まれる）が記載される。医家向けの医薬品であれば、添付文書には、更に、その医薬品の薬効薬理、体内薬物動態、臨床適用、非臨床試験の結果等の情報も記載される。また添付文書の元となる様々な原情報は、ＤＶＤ−ＲＯＭ等の記録媒体として提供される。このような添付文書に関する技術は、例えば下記の特許文献１、特許文献２及び特許文献３に開示されている。
【特許文献１】特開平１０−９７５４３号公報
【特許文献２】特開２０００−１６３４９８号公報
【特許文献３】特開２００２−１３２９３９号公報
【発明の開示】
【発明が解決しようとする課題】
【０００３】
しかしながら医薬品に関する研究等は日進月歩で発展しており、新薬の開発、新たな副作用の発見等の添付文書に記載すべき各種情報は日々発表されているが、それらが発表された後、添付文書の原情報として提供される記録媒体に反映されるまでには時差が生じる虞がある。また個々の病院内のみで必要な情報を添付文書と共に閲覧することが好ましい場合もあるが、個々の病院毎に添付文書の原情報が編集されるわけではない。従ってこの様な情報が発表される都度、また個々の病院内のみで必要な情報を明記する状況が生じる都度、添付文書に漏れなく記載することを支援する方法が求められている。
【０００４】
本発明は斯かる事情に鑑みてなされたものであり、本来の添付文書の内容を記録したデータベースとは別に、例えば新たに発表された副作用等の追加情報を記録するデータベースを設けて、添付文書の内容を記録したデータベースと関連付けると共に、追加情報を一覧として出力することにより、追加情報の添付文書への漏れのない反映を支援することが可能な情報管理システム、及び該情報管理システムに用いられる管理装置の提供を目的とする。
【課題を解決するための手段】
【０００５】
第１発明に係る情報管理システムは、薬品に関する情報の管理を支援する情報管理システムにおいて、薬品を識別する識別情報に対応付けて、薬品に関する複数項目の基本情報を記録している第１記録手段と、識別情報に対応付けて、薬品に添付される添付文書に記載する複数項目の添付文書情報を記録している第２記録手段と、識別情報又は基本情報に対応付けて、添付文書に関する追加情報を記録している第３記録手段と、該第３記録手段に記録されている追加情報を抽出する手段と、抽出した追加情報に係る情報を一覧として出力する出力手段と、一覧として出力した追加情報に係る情報の指示を受け付ける手段と、受け付けた指示に対応する追加情報を出力する手段とを備えることを特徴とする。
【０００６】
本発明では、期間をあけて発行される添付文書情報とは別に、日々追加すべき追加情報を、添付文書情報及び薬品に関連付けて記録しておくことにより、追加情報の内容を添付文書に漏れなく反映させることが容易であり、しかも追加情報の一覧を出力することにより、追加情報の発生状況を容易に把握することが可能である。
【０００７】
第２発明に係る情報管理システムは、第１発明において、前記第１記録手段は、薬品の所定の性質の有無を示す性質有無情報を基本情報として記録する様に構成してあり、薬品を検索する検索キーを受け付ける手段と、受け付けた検索キーに基づいて、第１記録手段から薬品に関する性質有無情報を含む基本情報を抽出する手段と、抽出した性質有無情報に基づき、各性質について、有無のいずれかを示した性質提示情報を生成する手段と、抽出した基本情報及び生成した性質提示情報を、一覧として出力する手段とを備えることを特徴とする。
【０００８】
本発明では、薬品に関する内服薬、劇薬、向精神薬等の性質の有無を出力することにより、薬品に関する性質を把握することが容易であり、薬品が有する性質だけでなく、薬品が有さない性質をも出力することにより、薬品に備わる性質だけでなく、薬品にその性質が備わっていないことを明示的に示すことが可能である。
【０００９】
第３発明に係る情報管理システムは、第２発明において、一覧として出力された基本情報の指示を受け付ける手段と、受け付けた基本情報に係る薬品に対応する添付文書情報を第２記録手段から抽出する手段と、抽出した添付文書情報を出力する添付文書出力手段とを備えることを特徴とする。
【００１０】
本発明では、基本情報に添付文書情報が連携されて出力されるので、操作性が高い。
【００１１】
第４発明に係る情報管理システムは、第３発明において、前記第１記録手段は、薬品の薬効を示す薬効情報を階層的に基本情報として記録する様に構成してあり、基本情報の指示を受け付けた場合に、受け付けた基本情報に係る薬効情報を第１記録手段から抽出する手段を更に備え、前記添付文書出力手段は、抽出した薬効情報を添付文書情報と共に階層的に出力する様に構成してあることを特徴とする。
【００１２】
本発明では、例えば中枢神経系用薬、催眠鎮静剤・抗不安剤・ベンゾジアゼピン系製剤という様に薬効を階層的に記録し、添付文書情報と共に出力することにより、薬品の薬効を容易に把握することが可能である。
【００１３】
第５発明に係る情報管理システムは、第４発明において、識別情報に対応付けて、採用薬品か否かを示す管理状態情報を記録している第４記録手段と、出力された薬効情報の指示を受け付ける手段と、第４記録手段を参照して、指示を受け付けた薬効情報と同様の薬効情報を含み、かつ採用薬品である薬品の識別情報を判定する手段と、判定した薬品の識別情報を検索キーとして、基本情報を第１記録手段から抽出する手段と、抽出した基本情報を、一覧として出力する手段とを備えることを特徴とする。
【００１４】
本発明では、当該病院内で採用、付属の薬局で販売等の採用薬品か否かを示す管理状態を記録しておき、所望する薬品と同様の薬効を有し、かつ採用薬品である薬品の基本情報を出力することにより、当該病院内で採用している薬品の中から、所望する薬品と同様の薬効を有する他の薬品を容易に把握することができるので、薬品の管理を支援することが可能である。
【００１５】
第６発明に係る情報管理システムは、第３発明乃至第５発明のいずれかにおいて、添付文書情報の全ての項目及び該項目に対応する内容の出力の要否を指定する入力欄を出力する手段と、各項目について出力の要否の指定の入力を受け付ける手段とを更に備え、前記添付文書出力手段は、出力要の指定を受け付けた項目に関する添付文書情報を出力する様に構成してあることを特徴とする。
【００１６】
本発明では、添付文書として出力すべき項目を選択することができるので、用途に応じた添付文書の作成を支援することが可能である。
【００１７】
第７発明に係る情報管理システムは、第１発明乃至第６発明のいずれかにおいて、複数の薬品に係る相互作用を示す相互作用情報を記録している第５記録手段と、一覧として出力された基本情報の中から、複数の薬品に係る基本情報の指示を受け付ける手段と、指示を受け付けた薬品を示す情報を蓄積する手段と、蓄積した薬品を示す情報及び相互作用の判定を要求する画像を出力する手段と、相互作用の判定を要求する画像の指示を受け付けた場合に、第５記録手段を参照して、指示を受け付けた複数の薬品に係る相互作用情報が記録されているか否かを判定する手段と、相互作用情報が記録されていないと判定した場合に、相互作用がないことを示す情報を出力する手段と、相互作用情報が記録されていると判定した場合に、記録されている相互作用情報を第５記録手段から抽出する手段と、抽出した相互作用情報を出力する手段とを備えることを特徴とする。
【００１８】
本発明では、複数の薬品の相互作用の把握を支援することが可能である。
【００１９】
第８発明に係る情報管理システムは、第１発明乃至第７発明のいずれかにおいて、薬品集及び／又は該薬品集に関する情報を示す薬品集情報を記録している第６記録手段と、該第６記録手段に記録している薬品集情報を出力する手段とを備えることを特徴とする。
【００２０】
本発明では、薬品集情報等を容易に閲覧することが可能である。
【００２１】
第９発明に係る情報管理システムは、第１発明乃至第８発明のいずれかにおいて、前記第１記録手段、第２記録手段及び第３記録手段を備える管理装置と、前記出力手段を備える端末装置とを備え、前記管理装置及び端末装置を通信網にて接続していることを特徴とする。
【００２２】
本発明では、サーバクライアント方式の病院内通信網として構築することにより、院内で情報を共有することが可能である。
【００２３】
第１０発明に係る情報管理システムは、薬品に関する情報の管理を支援する情報管理システムにおいて、薬品に添付される添付文書を構成する添付文書情報を、薬品を識別する識別情報に対応付けて記録する記録手段と、薬品の指定及び指定された薬品に対する追加情報を受け付ける手段と、指定された薬品の識別情報に対応付けて、受け付けた追加情報を記録する記録手段と、薬品の指定及び指定された薬品の添付文書情報を出力させる指示を受け付ける手段と、指定された薬品に対応する添付文書情報及び指定された薬品に対応する追加情報を前記記録手段から抽出する手段と、抽出した追加情報を、抽出した添付文書情報に付加する手段と、追加情報を付加した添付文書情報を出力する手段とを備えることを特徴とする。
【００２４】
本発明では、期間をあけて発行される添付文書情報とは別に、日々追加すべき追加情報を、添付文書情報及び薬品に関連付けて記録しておき、添付文書情報を出力する場合に、対応付けられている追加情報を、添付文書情報に付加して出力することにより、追加情報の内容を添付文書に漏れなく反映させることができる。
【００２５】
第１１発明に係る情報管理システムは、第１０発明において、前記記録手段に追加情報が記録されている場合に、薬品に対応付けられた追加情報が記録されていることを示す記録状況情報を出力する手段を更に備え、該記録状況情報は、新たな追加情報が、前記記録手段に記録される都度、更新される様に構成してあることを特徴とする。
【００２６】
本発明では、追加情報の発生状況を容易に把握することが可能である。
【００２７】
第１２発明に係る管理装置は、薬品に関する情報の管理を支援する管理装置において、薬品を識別する識別情報に対応付けて、薬品に関する複数項目の基本情報を記録している第１記録手段と、識別情報に対応付けて、薬品に添付される添付文書に記載する複数項目の添付文書情報を記録している第２記録手段と、識別情報又は基本情報に対応付けて、添付文書に関する追加情報を記録している第３記録手段と、該第３記録手段に記録されている追加情報を抽出する手段と、抽出した追加情報に係る情報を一覧として出力する手段と、一覧として出力した追加情報に係る情報の指示を受け付ける手段と、受け付けた指示に対応する追加情報を出力する手段とを備えることを特徴とする。
【００２８】
本発明では、期間をあけて発行される添付文書情報とは別に、日々追加すべき追加情報を、添付文書情報及び薬品に関連付けて記録しておくことにより、追加情報の内容を添付文書に漏れなく反映させることが容易であり、しかも追加情報の一覧を出力することにより、追加情報の発生状況を容易に把握することが可能である。
【発明の効果】
【００２９】
本発明に係る情報管理システム及び管理装置は、例えば薬品に添付される添付文書の管理に適用され、薬品を識別する識別情報に対応付けて、薬品に関する基本情報を記録する第１記録手段と、識別情報に対応付けて、薬品に添付される添付文書に記載する複数項目の添付文書情報を記録している第２記録手段と、識別情報又は基本情報に対応付けて、添付文書に関する追加情報を記録している第３記録手段とを用い、該第３記録手段に記録されている追加情報を抽出し、抽出した追加情報を一覧として出力する。
【００３０】
この構成により、期間をあけて発行される添付文書情報とは別に、日々追加すべき追加情報、及び当該管理装置を管理する病院内のみで必要な追加情報を、添付文書情報及び薬品に関連付けて記録しておくことにより、追加情報の内容を添付文書に漏れなく反映させることが容易であり、しかも追加情報の一覧を出力することにより、追加情報の発生状況を容易に把握することが可能である等、優れた効果を奏する。
【発明を実施するための最良の形態】
【００３１】
以下、本発明をその実施の形態を示す図面に基づいて詳述する。図１は、本発明の情報管理システムの構成例を示す概念図である。図１中１は、ウェブサーバコンピュータを用いた本発明の管理装置であり、管理装置１は、病院等の医療機関にて管理されている。管理装置１は、イントラネットとして用いられる病院内通信網（以下、院内ＬＡＮという）１００に接続されており、院内ＬＡＮ１００には、病棟、診察現場、薬局等の様々な区域にて用いられる操作用端末装置２，２，…が接続されている。また院内ＬＡＮ１００には、管理装置１の管理に用いられる管理用端末装置３も接続されている。
【００３２】
図２及び図３は、本発明の情報管理システムにて用いられる各種装置の構成例を示すブロック図である。図２は、主に管理装置１を示し、図３は、主に操作用端末装置２及び管理用端末装置３を示している。管理装置１は、装置全体を制御するＣＰＵ等の制御手段１１、本発明の管理装置用のコンピュータプログラム２００及びデータ等の各種情報を記録したＣＤ−ＲＯＭ等の記録媒体３００から各種情報を読み取るＣＤ−ＲＯＭドライブ等の補助記憶手段１２、補助記憶手段１２により読み取った各種情報を記録するハードディスク等の記録手段１３、情報を一時的に記憶するＲＡＭ等の記憶手段１４、並びに院内ＬＡＮ１００に接続するＬＡＮポート等の通信手段１５を備えている。
【００３３】
そして記録手段１３からコンピュータプログラム２００及びデータ等の各種情報を読み取り、記憶手段１４に記憶させてコンピュータプログラム２００に含まれる各種手順を実行することにより、ウェブサーバコンピュータは、本発明の管理装置１０として動作する。
【００３４】
なお管理装置１が備える記録手段１３の記録領域の一部は、医薬品を識別する識別情報に対応付けて、医薬品に関する基本情報を記録する第１データベース（第１ＤＢ）１３ａ、識別情報に対応付けて、医薬品に添付される添付文書に記載する添付文書情報を記録する第２データベース（第２ＤＢ）１３ｂ、識別情報に対応付けて、添付文書に関する追加情報を記録する第３データベース（第３ＤＢ）１３ｃ、識別情報に対応付けて、医薬品の管理状態を示す管理状態情報を記録する第４データベース（第４ＤＢ）１３ｄ、複数の医薬品に係る相互作用を示す相互作用情報を記録する第５データベース（第５ＤＢ）１３ｅ、医薬品集及び医薬品集に関する情報を示す医薬品集情報を記録する第６データベース（第６ＤＢ）１３ｆ等の各種データベースとして用いられており、必要に応じて各種データベースに対する記録、読取等のアクセスを行う。なお記録手段１３の記録領域の一部を各種データベースとして用いるのではなく、管理装置１に接続する他の装置を各種データベースを記録するデータベースサーバコンピュータとし、必要に応じて管理装置１からアクセスする様にしても良い。
【００３５】
操作用端末装置２は、制御手段２１、記録手段２２、記憶手段２３、通信手段２４、マウス及びキーボード等の入力手段２５、並びにモニタ及びプリンタ等の出力手段２６を備えている。なお操作用端末装置２の記録手段２２には、イントラネットとして構築されている院内ＬＡＮ１００を利用するため、閲覧用ソフトウェア（以下、ブラウザという）等の各種コンピュータプログラムが記録されている。
【００３６】
管理用端末装置３は、制御手段３１、記録手段３２、記憶手段３３、通信手段３４、入力手段３５及び出力手段３６を備えている。なお管理用端末装置３の記録手段３２には、イントラネットとして構築されている院内ＬＡＮ１００を利用するため、ブラウザ等の各種コンピュータプログラムが記録されている。
【００３７】
次に本発明の管理装置１が備える各種データベースについて説明する。図４及び図５は、本発明の管理装置１が備える第１データベース１３ａの記録内容の例を概念的に示す説明図である。第１データベース１３ａは、医薬品に関する基本情報をレコード単位で記録するデータベースであり、医薬品を識別する識別情報である薬品コードに対応付けて、流通フラグ、後発品フラグ、局方フラグ、ＹＪコード、薬品名称、薬品名称カナ、規格単位、色、刻印表記、包装表記、薬価、メーカーコード、メーカー名称、ＭＥＤＩＳ中メーカー名称、内服フラグ、外用フラグ、注射フラグ、割線フラグ、麻薬フラグ、毒薬フラグ、劇薬フラグ、向精神薬フラグ、抗癌剤フラグ、抗生物質フラグ、糖尿病薬フラグ、甲状腺薬フラグ、血液製剤フラグ、漢方フラグ、剤型コード、剤型名称、薬効大分類、薬効中分類、薬効小分類、薬効４桁分類、同薬効コード等の項目が設定されており、夫々の項目には、医薬品毎のデータが記録される。なお第１データベース１３ａの記録内容は、例えばＤＶＤ−ＲＯＭ等の記録媒体として発行されたものを読み取り、記録したものである。
【００３８】
第１データベース１３ａに設定されている項目中、流通フラグは、流通薬品か否かを示すフラグである。後発品フラグは、後発品か否かを示すフラグである。局方フラグは、局方品か否かを示すフラグである。ＹＪコードは個別医薬品コードである。薬品名称は、全角文字、例えば漢字にて記録される。薬品名称カナは、半角カナ文字にて記録される。規格単位は、医薬品の規格の単位を示す文字列である。色は、医薬品の色を示す文字列である。刻印表記は、医薬品の刻印を示す文字列である。包装表記は、医薬品の包装に示されている内容を示す文字列である。薬価は、医薬品の価格である。メーカーコードとは、医薬品を製造したメーカーを識別する識別情報である。メーカー名称は、医薬品を製造したメーカーの名称である。ＭＥＤＩＳ中メーカー名称は、財団法人医療情報システム開発センターにて発行するデータベースに収載されたメーカーの名称である。内服フラグは、内服薬であるか否かを示すフラグである。外服フラグは、外服薬であるか否かを示すフラグである。注射フラグは、注射薬であるか否かを示すフラグである。割線フラグは、割線が有るか否かを示すフラグである。麻薬フラグは、医薬品の性質の有無を示す性質有無情報の一つであり、麻薬であるか否かを示すフラグである。毒薬フラグは、医薬品の性質の有無を示す性質有無情報の一つであり、毒薬であるか否かを示すフラグである。劇薬フラグは、医薬品の性質の有無を示す性質有無情報の一つであり、劇薬であるか否かを示すフラグである。向精神薬フラグは、医薬品の性質の有無を示す性質有無情報の一つであり、向精神薬であるか否かを示すフラグである。抗癌剤フラグは、医薬品の性質の有無を示す性質有無情報の一つであり、抗癌剤であるか否かを示すフラグである。抗生物質フラグは、医薬品の性質の有無を示す性質有無情報の一つであり、抗生物質であるか否かを示すフラグである。糖尿病薬フラグは、医薬品の性質の有無を示す性質有無情報の一つであり、糖尿病薬であるか否かを示すフラグである。甲状腺薬フラグは、医薬品の性質の有無を示す性質有無情報の一つであり、甲状腺薬であるか否かを示すフラグである。血液製剤フラグは、医薬品の性質の有無を示す性質有無情報の一つであり、血液製剤であるか否かを示すフラグである。漢方フラグは、医薬品の性質の有無を示す性質有無情報の一つであり、漢方薬であるか否かを示すフラグである。剤型コードは、医薬品の形状を示すコードである。剤型名称は、医薬品の形状の名称を示す文字列である。薬効大分類、薬効中分類、薬効小分類及び薬効４桁分類とは、医薬品の薬効を示す薬効情報であり、階層的に構成されている。同薬効コードとは、同じ薬効を示す薬効情報である。なお薬効大分類、薬効中分類、薬効小分類及び薬効４桁分類並びに同薬効コードは、ＹＪコードから求められる。
【００３９】
図６、図７及び図８は、本発明の管理装置１が備える第２データベース１３ｂの記録内容の例を概念的に示す説明図である。第２データベース１３ｂは、医薬品に添付される添付文書に記載する添付文書情報をレコード単位で記録するデータベースであり、レコードを特定するシーケンス番号（ＳｅｑＮｕｍ）及び医薬品を識別する識別情報である薬品コードに対応付けて、更新日、作成日、データ年月、ＪＡＭＥＳレコード番号、商品名更新日、商品名、薬品コード更新日、薬品コード原文、添付文書日付更新日、添付文書日付、作改種別更新日、作改種別、規制区分更新日、規制区分、一般名更新日、一般名、薬品名称カナ更新日、薬品名称カナ、会社名更新日、会社名、組成更新日、組成、剤型更新日、剤型、識別更新日、識別、貯法更新日、貯法、有効期限更新日、有効期限、使用期限更新日、使用期限、効能効果更新日、効能効果、用法用量更新日、用法用量、警告更新日、警告、一般的注意更新日、一般的注意、禁忌更新日、禁忌、慎重投与更新日、慎重投与、相互併用禁忌更新日、相互併用禁忌、相互慎重投与更新日、相互慎重投与、相互その他更新日、相互その他、副作用更新日、副作用、注意妊産婦等更新日、注意妊産婦等、注意乳小児等更新日、注意乳小児等、注意その他更新日、注意その他、臨床検査値影響更新日、臨床検査値影響、薬効薬理更新日、薬効薬理、体内薬物動態更新日、体内薬物動態等の項目が設定されており、夫々の項目には、医薬品毎のデータが記録される。なお第２データベース１３ｂの記録内容は、例えばＤＶＤ−ＲＯＭ等の記録媒体として発行されたものを読み取り、記録したものである。
【００４０】
図９は、本発明の管理装置１が備える第３データベース１３ｃの記録内容の例を概念的に示す説明図である。第３データベース１３ｃは、添付文書に関する追加情報をレコード単位で記録するデータベースであり、医薬品を識別する識別情報である薬品コードに対応付けて、作成日、更新日、参照薬品コード、参照薬品ＹＪコード、テキストコメント、ＨＴＭＬコメント、リッチテキストコメント、添付ファイルパス、画像ファイル等の項目が設定されており、夫々の項目には必要に応じてデータが記録される。なお第３データベース１３ｃの記録内容は、操作用端末装置２及び管理用端末装置３を操作する操作者の操作に基づいて、薬品の指定及び指定された薬品に対する追加情報の入力を受け付け、指定された薬品の識別情報に対応付けて、受け付けた追加情報を記録したものである。
【００４１】
第３データベース１３ｃに記録されている項目中、作成日は、当該レコードとして記録される追加情報を作成した時刻に関する情報、ここでは日付を示している。更新日は、当該レコードとして記録される追加情報の内容を更新した時刻に関する情報、ここでは日付を示している。参照薬品コードとは、参照する医薬品の薬品コードである。参照薬品ＹＪコードとは、参照する薬品のＹＪコードである。テキストコメントとは、テキストデータとして示される追加情報である。ＨＴＭＬコメントとは、マークアップ記述言語であるＨＴＭＬ形式で示される追加情報である。リッチテキストコメントとは、書式情報を含むテキストデータとして示される追加情報である。添付ファイルパスとは、他の情報を引用する場合に、他の情報の記録位置までの通信網上の経路を示す追加情報である。画像ファイルとは、画像情報として示される追加情報である。
【００４２】
図１０は、本発明の管理装置１が備える第４データベース１３ｄの記録内容の例を概念的に示す説明図である。第４データベース１３ｄは、識別情報に対応付けて薬品の管理状態を示す管理状態情報をレコード単位で記録するデータベースであり、医薬品を識別する識別情報である薬品コードに対応付けて、院内採用薬品フラグ、院外採用薬品フラグ、院内外採用薬品フラグ、過去採用薬品フラグ、非採用薬品フラグ等の項目が設定されており、夫々の項目にはデータが記録される。なお第４データベース１３ｄの記録内容は、操作用端末装置２及び管理用端末装置３を操作する操作者による入力を受け付け、記録したものである。
【００４３】
第４データベース１３ｄに記録されている項目中、院内採用薬品フラグは、当該病院内で採用されている医薬品であるか否かを示すフラグである。院外採用薬品フラグは、例えば付属の薬局施設等の当該病院外で採用されている医薬品であるか否かを示すフラグである。院内外採用薬品フラグは、病院内及び病院外の双方で採用されている医薬品であるか否かを示すフラグである。過去採用薬品フラグは、病院内及び病院外において、過去に採用されていたが現在は採用していない医薬品であるか否かを示すフラグである。非採用薬品フラグは、病院内及び病院外において、今まで採用されたことがない医薬品であるか否かを示すフラグである。
【００４４】
図１１は、本発明の管理装置１が備える第５データベース１３ｅの記録内容の例を概念的に示す説明図である。第５データベース１３ｅは、複数の薬品に係る相互作用を示す相互作用情報をレコード単位で記録するデータベースであり、Ａ薬品ＹＪコード、Ｂ薬品ＹＪコード、方向、危険度、簡易理由、詳細理由等の項目が対応付けて設定されており、夫々の項目にはデータが記録される。
【００４５】
第５データベース１３ｅに記録されている項目中、Ａ薬品ＹＪコードは、第１の医薬品の個別医薬品コードを示している。Ｂ薬品ＹＪコードは、第２の医薬品の個別医薬品コードを示している。方向は、第１の医薬品及び第２の医薬品の主従関係を「０」又は「１」の符号にて示し、「０」である場合、当該レコードが、第１の医薬品を主薬品とし、第２の医薬品を従薬品とした場合の相互作用を示すレコードであることを示し、「０」である場合、当該レコードが、第２の医薬品を主薬品とし、第１の医薬品を従薬品とした場合の相互作用を示すレコードであることを示している。危険度は、相互作用の危険度を「０」又は「１」の符号にて示し、「０」である場合、禁忌であることを示し、「１」である場合、注意であることを示している。簡易理由及び詳細理由は、相互作用の説明である。
【００４６】
第６データベース１３ｆは、医薬品集及び該医薬品集に関する情報を示す薬品集情報を記録するデータベースであり、具体的には、医薬品集の内容を示す情報、医薬品集の付録図を示す画像情報等の情報が記録されている。
【００４７】
次に本発明の情報管理システムにおける各種装置の処理及び操作者の操作について説明する。図１２は、本発明の情報管理システムにて用いられる管理装置１及び操作用端末装置２の処理を示すフローチャートである。操作用端末装置２を操作する操作者は、操作用端末装置２を操作して、ブラウザを起動させ、ＵＲＬ（ｕｎｉｖｅｒｓａｌ  Ｒｅｓｏｕｒｃｅ  Ｌｏｃａｔｏｒ）等の通信網上の位置を指示する指示情報をブラウザの所定欄に入力することにより、管理装置１にアクセスし、管理装置１に対するログインを要求する。なお以降の説明では、操作用端末装置２を操作する形態を説明するが、管理用端末装置３を用いても同様の操作を行うことが可能である。操作用端末装置２は、制御手段２１の制御により、管理装置１に対してログインを要求する（Ｓ１０１）。ここではログインを要求する形態を示しているが、ログイン要求を行わない様に構成することも可能である。
【００４８】
管理装置１は、記憶手段１４に記憶したコンピュータプログラム２００を実行する制御手段１１の制御により、操作用端末装置２からのログインを受け付け（Ｓ１０２）、第３データベース１３ｃにアクセスして、第３データベース１３ｃに記録されている追加情報のレコードを抽出し（Ｓ１０３）、抽出した追加情報のレコードに示されている作成日及び更新日の新しい方を示す日付（時刻）に基づいて、追加情報のレコードの並べ替えを行い（Ｓ１０４）、並べ替えを行った追加情報を通信手段１５から操作用端末装置２へ出力、即ち送信する（Ｓ１０５）。なおこの段階においては、追加情報の全てを抽出し、送信するのではなく、追加情報の一部又は追加情報に係る薬品コードに基づく薬品の名称を、追加情報に係る情報として送信する様にしても良い。
【００４９】
操作用端末装置２は、制御手段２１の制御により、並べ替えられた追加情報を通信手段２４にて受信し（Ｓ１０６）、受信した追加情報をモニタである出力手段２６から出力する（Ｓ１０７）。
【００５０】
図１３は、操作用端末装置２から出力される画像を示す説明図である。図１３は、ステップＳ１０７にて出力される追加情報を含む画像、即ち出力手段２６の画面上に表示されたブラウザ内の画像を示している。画面上方には、「Ｔｏｐ」、「薬品検索」、「相互作用」及び「付録図」として示されたメニュータブが示されている。現在の画像は「Ｔｏｐ」として示されたメニュータブにて規定されるトップページであり、ニュースとして示された欄及び最新薬品コメントとして示した欄が表示されている。ニュースとして示された欄には、院内ＬＡＮ１００を用いて実現されるシステムの機能の一つである掲示板システムを用いて投稿された情報を示している。最新薬品コメントして示した欄には、時刻に基づき並べ替えられた追加情報の一覧が示されている。なお一覧として示される画面は、第３データベース１３ｃに新たな追加情報が記録される都度、更新される。図１３に示している様に、一覧に示された追加情報は、追加情報に係る薬品コードに基づく薬品の名称が表題として示されている。そして表題に対応付けてコメントと表示された文言が示されており、コメントと表示された文言には、追加情報の出力を要求するリンクが張られている。なおリンクは、ページ記述言語を用いることにより、容易に作成することができる。このように本発明の情報管理システムでは、操作用端末装置２を操作して管理装置１にアクセスして、システムにログインすると追加情報の一覧が示されたトップページが表示される。なお記録されている追加情報の種類に応じて、表示されるアイコン（画像）及び文言を夫々変更する様にしても良い。
【００５１】
そして操作者は、マウスである入力手段２５を操作して、画像中の位置を指示するカーソルを操作し、コメントに張られたリンクにカーソルを重畳して、リンクを指示する入力、所謂クリック操作を行うことにより、他の追加情報の送信を要求する。
【００５２】
図１４は、操作用端末装置２から出力される画像を示す説明図である。図１４は、図１３の状態からリンクをクリックすることにより別ウィンドウとして出力される画像を示しており、追加情報に係る薬品名称、テキストコメント、「本院では、ジェネリック薬品（後発品）である「ハル○ック０．１２５ｍｇ錠」を採用していますのでご注意ください。」と示されたリッチテキストコメント、「添付ファイルがあります」と示された添付ファイルパス等の追加情報が示されている。
【００５３】
図１３に示した画像から薬品検索と示されたメニュータブを選択することにより、検索キーの入力欄を有する薬品検索用のページが表示され、入力欄に検索キーとなる情報、例えば「ハル○オン」等の文字情報を入力して所定の操作を行うことにより、薬品検索処理を行うことができる。
【００５４】
図１５は、本発明の情報管理システムにて用いられる管理装置１及び操作用端末装置２の処理を示すフローチャートである。操作用端末装置２は、制御手段２１の制御により、入力手段２５から検索キーの入力を受け付け（Ｓ２０１）、受け付けた検索キーを通信手段２４から送信する（Ｓ２０２）。
【００５５】
管理装置１は、記憶手段１４に記憶したコンピュータプログラム２００を実行する制御手段１１の制御により、操作用端末装置２から送信された検索キーを受け付け（Ｓ２０３）、受け付けた検索キーに基づいて、第１データベース１３ａから性質有無情報を含む基本情報を抽出し（Ｓ２０４）、抽出した基本情報に含まれる性質有無情報に基づき、各性質について、有無のいずれかを示した性質提示情報を生成し（Ｓ２０５）、抽出した基本情報及び生成した性質提示情報を、一覧として、通信手段１５から操作用端末装置２へ出力、即ち送信する（Ｓ２０６）。
【００５６】
操作用端末装置２は、制御手段２１の制御により、基本情報及び性質提示情報を通信手段２４にて受信し（Ｓ２０７）、受信した基本情報及び性質提示情報を、一覧として、出力手段２６から出力する（Ｓ２０８）。
【００５７】
図１６は、操作用端末装置２から出力される画像を示す説明図である。図１６は、ステップＳ２０７にて出力される追加情報を含む画像、即ち出力手段２６の画面上に表示されたブラウザ内の画像を示している。図１６は、「薬品検索」として示されたメニュータブにて規定される薬品検索ページであり、検索結果である薬品の基本情報及び性質提示情報の一覧が示されている。基本情報としては、薬品名称（薬品名）、メーカー名称（メーカー）、刻印表記及び色等の外観（刻印）、薬価等の情報が示されている。そして各性質について、有無のいずれかを示した性質提示情報が示されている。性質提示情報は、１０種類の性質を示す「麻」、「毒」、「劇」、「向」等の文字を示した１０個のシンボルを２×５のマトリクスとして示している。そして当該医薬品が有する性質を示すシンボルは、赤色（図１６中では、白色）で示し、当該医薬品が有さない性質を示すシンボルは、無色（図１６中では、斜線）で示している。図１６にて示す例では、「向」と示されたシンボルが、赤色で示されていることから、向精神薬という性質を有するが、「麻」、「毒」、「劇」等のシンボルは、無色で示されていることから、麻薬、毒薬、劇薬等の性質はない。なお「採」と示された項目は、第４データベース１３ｄの記録内容に基づく薬品の管理状態を示している。「追」と示された項目は、第３データベース１３ｃの記録内容に基づく追加情報の有無を示している。「相」と示された項目は、第５データベース１３ｅの記録内容に基づく相互作用の有無を示している。「画」と示された項目は、当該医薬品に関する画像情報が記録されていることを示している。
【００５８】
そして操作者は、一覧として示されている基本情報を指示する入力を行うことにより、指示された医薬品に関する添付文書情報の出力を要求することができる。
【００５９】
図１７は、本発明の情報管理システムにて用いられる管理装置１及び操作用端末装置２の処理を示すフローチャートである。操作用端末装置２は、制御手段２１の制御により、一覧として出力された基本情報の指示を入力手段２５から受け付け（Ｓ３０１）、受け付けた基本情報に係る医薬品に対応する添付文書情報の送信を要求する添付文書送信要求を通信手段２４から送信する（Ｓ３０２）。
【００６０】
管理装置１は、記憶手段１４に記憶したコンピュータプログラム２００を実行する制御手段１１の制御により、操作用端末装置２から送信された添付文書送信要求を、通信手段１５にて受け付け（Ｓ３０３）、受け付けた添付文書送信要求により要求されている医薬品に関する添付文書情報を、例えば薬品コードをキーとして第２データベース１３ｂから抽出し（Ｓ３０４）、受け付けた添付文書送信要求により要求されている医薬品に関する追加情報を、例えば薬品コードをキーとして第３データベース１３ｃから抽出し（Ｓ３０５）、更に受け付けた添付文書送信要求により要求されている医薬品に関する階層的な薬効情報を、例えば薬品コードをキーとして第１データベース１３ａから抽出し（Ｓ３０６）、抽出した添付文書情報、追加情報及び薬効情報を、通信手段１５から操作用端末装置２へ出力、即ち送信する（Ｓ３０７）。
【００６１】
操作用端末装置２は、制御手段２１の制御により、添付文書情報、追加情報及び薬効情報を通信手段２４にて受信し（Ｓ３０８）、受信した添付文書情報、追加情報及び薬効情報を出力手段２６から出力する（Ｓ３０９）。なお第３データベース１３ｃに、当該医薬品に関する追加情報が記録されていない場合、追加情報の抽出、送信、受信及び出力は行われない。また添付文書情報、追加情報及び薬効情報は、個々の情報として送信及び出力するのではなく、管理装置１において、添付文書情報に追加情報及び薬効情報を付加し、追加情報及び薬効情報が付加された添付文書情報を操作用端末装置２へ送信し、操作用端末装置２は、追加情報及び薬効情報を付加された添付文書情報を出力する様にしても良い。
【００６２】
図１８は、操作用端末装置２から出力される画像を示す説明図である。図１８は、ステップＳ３０９にて出力される添付文書情報、追加情報及び薬効情報を含む画像、即ち出力手段２６の画面上に表示されたブラウザ内の画像を示している。図１８では、画面の上方に薬品名称「ハル○オン０．１２５ｍｇ錠」が示されており、その下方は、左右にフレーム分割され、左方のフレームには、添付文書情報の項目の一覧が示され、右方のフレームには、添付文書情報、追加情報及び薬効情報が示されている。左方のフレームには、当該薬品に係る管理状態情報が、院内採用薬品であることを示す「◎採用薬品」との文言を示した画像、後述する表示設定画像を表示させる「表示設定」との文言を示した画像が表示されている。そしてその下方には、添付文書情報の項目の一覧が示されている。右方のフレームには、添付文書情報等であることを示す「薬品詳細」との文言を示した画像、院内採用薬品であることを示す「◎採用薬品」との文言を示した画像が示されている。そしてその下方には、薬品名称、「コメント情報」として示された追加情報、「薬効分類」として示された薬効情報が示されている。薬効情報は、薬効大分類、薬効中分類、薬効小分類等の階層的に構成された情報であり、図１８に示す様に薬効大分類である「中枢神経系用薬」、薬効中分類である「催眠鎮静剤・抗不安定剤」及び小分類である「ベンゾジアゼピン系製剤」等の階層構造が明確になる様に、その階層関係をツリー状に表示している。そしてその下方には、「編集年月」等の添付文書情報の各項目についての内容が示されている。なお図１８に示す画像、添付文書情報の全体を示しているのではなく、入力手段２５を操作して、右方のフレーム内の画像をスクロールさせることにより、図１８では示されていない添付文書情報の項目の内容を出力させることができる。
【００６３】
図１８に示す様に添付文書情報の項目の一覧及び項目に対応する内容の一覧は並べて出力されており、左方のフレームに示された添付文書の項目には、右方のフレームの対応する内容にリンクが張られているため、左方のフレームに示された添付文書の項目をクリックすることにより、その項目に対応する内容が右方のフレームに出力される。
【００６４】
図１８に示した添付文書情報、追加情報及び薬効情報は、所定の操作を行うことにより、プリンタである出力手段２６から添付文書として出力し、医薬品に添付される。なお例えば医家向けの医薬品に添付する場合の様に、添付文書として出力する項目を変更する必要がある場合、その項目を設定することが可能である。項目の設定は、左方のフレームに示されている「表示設定」と示された画像を指示する表示設定要求を行うことにより実施される。
【００６５】
図１９は、本発明の情報管理システムにて用いられる操作用端末装置２の処理を示すフローチャートである。操作用端末装置２は、制御手段２１の制御により、表示設定要求の入力を、入力手段２５から受け付け（Ｓ４０１）、添付文書情報の全ての項目及びそれらの項目に対応する内容の出力の要否を指定する入力欄を出力手段２６から出力する（Ｓ４０２）。
【００６６】
図２０は、操作用端末装置２から出力される画像を示す説明図である。図２０は、ステップＳ４０２にて出力される添付文書情報の全ての項目及びそれらの項目に対応する内容の出力の要否を指定する入力欄を含む画像、即ち出力手段２６の画面上に表示されたブラウザ内の画像を示している。図２０は、図１８に示した画像から表示設定と示された画像を指示する入力を行った状態であり、右方のフレーム内は図１８と同様であるが、左方のフレームには、添付文書情報の全ての項目と、それらの項目に対応する内容の出力の要否を指定する入力欄、所謂チェックボックスが示されている。そして内容の出力を要する項目には、チェックボックス内にチェックを入れる入力を行い、出力が不要な項目には、チェックボックス内からチェックを外す入力を行う。そして左方のフレームの上方に示された「設定」の文言が示された画像を指示する入力を行うことにより、設定の入力が完了する。
【００６７】
図１９のフローチャートに戻り、操作用端末装置２は、制御手段２１の制御により、各項目について出力の要否の指定の入力を、入力手段２５から受け付け（Ｓ４０３）、出力要との指定を受け付けた添付情報の項目に係る内容を出力手段２６から出力する（Ｓ４０４）。
【００６８】
また図１８に示す画像から、薬効中分類、薬効小分類等の薬効情報を指示する入力を行うことにより、指示された薬効情報に係る薬効と同様の薬効を備える他の医薬品を検索することができる。
【００６９】
図２１は、本発明の情報管理システムにて用いられる管理装置１及び操作用端末装置２の処理を示すフローチャートである。操作用端末装置２は、制御手段２１の制御により、出力された薬効情報の指示を入力手段２５から受け付け（Ｓ５０１）、受け付けた薬効情報に係る薬効と同様の薬効を備える他の医薬品の検索を要求する同薬効医薬品検索要求を通信手段２４から送信する（Ｓ５０２）。
【００７０】
管理装置１は、記憶手段１４に記憶したコンピュータプログラム２００を実行する制御手段１１の制御により、操作用端末装置２から送信された同薬効医薬品検索要求を受け付け（Ｓ５０３）、第４データベース１３ｄに記録されている管理状態情報を参照して、受け付けた同薬効医薬品検索要求が示す薬効情報と同様の薬効情報を含み、かつ所定の管理状態にある医薬品の識別情報を判定し（Ｓ５０４）、判定した医薬品の識別情報を検索キーとして、基本情報を第１データベース１３ａから抽出し（Ｓ５０５）、抽出した基本情報を、一覧として、出力手段から操作用端末装置２へ出力、即ち送信する（Ｓ５０６）。なお所定の管理状態にある医薬品とは、ここでは「院内採用薬品」、「院外採用薬品」及び「院内外採用薬品」を示す。即ち指示した薬効を有し、提供可能な医薬品のリストを抽出するのである。
【００７１】
操作用端末装置２は、制御手段２１の制御により、基本情報を通信手段２４にて受信し（Ｓ５０７）、受信した基本情報を、一覧として、出力手段２６から出力する（Ｓ５０８）。
【００７２】
図１３に示した画像から相互作用と示されたメニュータブを選択することにより、相互作用の有無を判定するページが表示される。操作者は、例えば薬品検索により、一覧として示された複数の医薬品の基本情報の中から、複数の医薬品を指示し、相互作用の有無を判定させる所定の操作を行うことにより、相互作用の有無をチェックすることができる。
【００７３】
図２２は、本発明の情報管理システムにて用いられる管理装置１及び操作用端末装置２の処理を示すフローチャートである。操作用端末装置２は、制御手段２１の制御により、複数の薬品に係る基本情報の指示を入力手段２５から受け付ける（Ｓ６０１）。指示を受け付けた複数の医薬品を示す識別情報等の基本情報は、操作用端末装置２の記憶手段２３又は管理装置１の記憶手段１４に一時的に蓄積される。そして相互作用の有無を判定させるページを出力させた時に、蓄積した医薬品を示す情報は、相互作用の有無の判定を要求するボタンを示す画像と共に出力される。操作者は、蓄積した医薬品を示す情報を確認し、相互作用の有無の判定を要求するボタンを示す画像を指示する入力を行う。操作用端末装置２は、制御手段２１の制御により、相互作用の有無の判定を要求する画像の指示を入力手段２５から受け付け（Ｓ６０２）、蓄積している複数の医薬品の相互作用の有無の判定を要求する相互作用有無判定要求を通信手段２４から送信する（Ｓ６０３）。
【００７４】
管理装置１は、記憶手段１４に記憶したコンピュータプログラム２００を実行する制御手段１１の制御により、操作用端末装置２から送信された相互作用有無判定要求を通信手段１５にて受け付け（Ｓ６０４）、第５データベース１３ｅを参照して、受け付けた相互作用有無判定要求が示す、指示された複数の医薬品に係る相互作用情報が記録されているか否かを判定する（Ｓ６０５）。相互作用情報が記録されているか否かの判定は、一の医薬品の基本情報であるＹＪコードを、Ａ薬品ＹＪコードと見なし、他の医薬品の基本情報であるＹＪコードを、Ｂ薬品ＹＪコードと見なし、Ａ薬品ＹＪコード及びＢ薬品ＹＪコードが合致するレコードが第５データベース１３ｅに記録されているか否かを判定することにより行われる。
【００７５】
ステップＳ６０５において、相互作用情報が記録されていないと判定した場合（Ｓ６０５：ＮＯ）、管理装置１は、制御手段１１の制御により、相互作用が無いことを示す相互作用無情報を、通信手段１５から操作用端末装置２へ出力、即ち送信する（Ｓ６０６）。
【００７６】
操作用端末装置２は、制御手段２１の制御により、相互作用無情報を通信手段２４にて受信し（Ｓ６０７）、受信した相互作用無情報を出力手段２６から出力する（Ｓ６０８）。
【００７７】
ステップＳ６０５において、相互作用が記録されていると判定した場合（Ｓ６０５：ＹＥＳ）、管理装置１は、制御手段１１の制御により、記録されている相互作用情報、即ち方向、危険度、簡易理由、詳細理由等の項目に記録されている情報の全部又は一部を抽出し（Ｓ６０９）、抽出した相互作用情報を、通信手段１５から操作用端末装置２へ出力、即ち送信する（Ｓ６１０）。なお相互作用情報を抽出するに際しては、例えば危険度に応じて絞り込みを行うことも可能である。
【００７８】
操作用端末装置２は、制御手段２１の制御により、相互作用情報を通信手段２４にて受信し（Ｓ６１１）、受信した相互作用情報を出力手段２６から出力する（Ｓ６１２）。
【００７９】
図１３に示した画像から付録図と示されたメニュータブを選択することにより、記録されている医薬品集、医薬品集の付録図等の医薬品集に係る情報の一覧を出力するページが表示される。そして操作者は、一覧から出力を要求する情報、例えば医薬品集に係る情報の一つである「管理ツール仕様書」を指示する入力を行うことにより、指示した情報（以下医薬品集等情報という）の出力を要求することができる。
【００８０】
図２３は、本発明の情報管理システムにて用いられる管理装置１及び操作用端末装置２の処理を示すフローチャートである。操作用端末装置２は、制御手段２１の制御により、医薬品集等情報の指示を入力手段２５から受け付け（Ｓ７０１）、受け付けた医薬品集等情報を要求する医薬品集等情報要求を通信手段２４から送信する（Ｓ７０２）。
【００８１】
管理装置１は、記憶手段１４に記憶したコンピュータプログラム２００を実行する制御手段１１の制御により、操作用端末装置２から送信された医薬品集等情報要求を受け付け（Ｓ７０３）、受け付けた医薬品集等情報に示されている医薬品集等情報を、第６データベース１３ｆから抽出し（Ｓ７０４）、抽出した医薬品集等情報を、通信手段１５から操作用端末装置２へ出力、即ち送信する（Ｓ７０５）。
【００８２】
操作用端末装置２は、制御手段２１の制御により、医薬品集等情報を通信手段２４にて受信し（Ｓ７０６）、受信した医薬品集等情報を出力手段２６から出力する（Ｓ７０７）。
【００８３】
前記実施の形態では、管理装置及び操作用端末装置を院内ＬＡＮにて接続した情報管理システムを示したが、本発明はこれに限らず、管理装置及び操作用端末装置の機能を一体化して、即ち管理装置をスタンドアローンで実現する形態等、様々な形態に展開することが可能である。その場合、上述した実施の形態において、情報の受付とは、マウス等の入力手段を用いた入力を受け付けることを示し、情報の出力とは、モニタ等の出力手段への表示を示す。
【図面の簡単な説明】
【００８４】
【図１】本発明の情報管理システムの構成例を示す概念図である。
【図２】本発明の情報管理システムにて用いられる各種装置の構成例を示すブロック図である。
【図３】本発明の情報管理システムにて用いられる各種装置の構成例を示すブロック図である。
【図４】本発明の管理装置が備える第１データベースの記録内容の例を概念的に示す説明図である。
【図５】本発明の管理装置が備える第１データベースの記録内容の例を概念的に示す説明図である。
【図６】本発明の管理装置が備える第２データベースの記録内容の例を概念的に示す説明図である。
【図７】本発明の管理装置が備える第２データベースの記録内容の例を概念的に示す説明図である。
【図８】本発明の管理装置が備える第２データベースの記録内容の例を概念的に示す説明図である。
【図９】本発明の管理装置が備える第３データベースの記録内容の例を概念的に示す説明図である。
【図１０】本発明の管理装置が備える第４データベースの記録内容の例を概念的に示す説明図である。
【図１１】本発明の管理装置が備える第５データベースの記録内容の例を概念的に示す説明図である。
【図１２】本発明の情報管理システムにて用いられる管理装置及び操作用端末装置の処理を示すフローチャートである。
【図１３】操作用端末装置から出力される画像を示す説明図である。
【図１４】操作用端末装置から出力される画像を示す説明図である。
【図１５】本発明の情報管理システムにて用いられる管理装置及び操作用端末装置の処理を示すフローチャートである。
【図１６】操作用端末装置から出力される画像を示す説明図である。
【図１７】本発明の情報管理システムにて用いられる管理装置及び操作用端末装置の処理を示すフローチャートである。
【図１８】操作用端末装置から出力される画像を示す説明図である。
【図１９】本発明の情報管理システムにて用いられる操作用端末装置の処理を示すフローチャートである。
【図２０】操作用端末装置から出力される画像を示す説明図である。
【図２１】本発明の情報管理システムにて用いられる管理装置及び操作用端末装置の処理を示すフローチャートである。
【図２２】本発明の情報管理システムにて用いられる管理装置及び操作用端末装置の処理を示すフローチャートである。
【図２３】本発明の情報管理システムにて用いられる管理装置及び操作用端末装置の処理を示すフローチャートである。
【符号の説明】
【００８５】
１  管理装置
２  操作用端末装置
３  管理用端末装置
１３ａ  第１データベース
１３ｂ  第２データベース
１３ｃ  第３データベース
１３ｄ  第４データベース
１３ｅ  第５データベース
１３ｆ  第６データベース
１００  病院内通信網（院内ＬＡＮ）
２００  コンピュータプログラム
３００  記録媒体
【図１】
2006276899.tif 000003
【図２】
2006276899.tif 000004
【図３】
2006276899.tif 000005
【図４】
2006276899.tif 000006
【図５】
2006276899.tif 000007
【図６】
2006276899.tif 000008
【図７】
2006276899.tif 000009
【図８】
2006276899.tif 000010
【図９】
2006276899.tif 000011
【図１０】
2006276899.tif 000012
【図１１】
2006276899.tif 000013
【図１２】
2006276899.tif 000014
【図１３】
2006276899.tif 000015
【図１４】
2006276899.tif 000016
【図１５】
2006276899.tif 000017
【図１６】
2006276899.tif 000018
【図１７】
2006276899.tif 000019
【図１８】
2006276899.tif 000020
【図１９】
2006276899.tif 000021
【図２０】
2006276899.tif 000022
【図２１】
2006276899.tif 000023
【図２２】
2006276899.tif 000024
【図２３】
2006276899.tif 000025